(57)【特許請求の範囲】
【請求項１】
レターボックス形式で伝送され、無画面部に解像度を補強する信号が多重化されていると共に所定ラインに識別信号が含まれるコンポジットカラービデオ信号を入力する手段と、
上記入力されたコンポジットカラービデオ信号から輝度信号と、色差信号とからなるコンポーネントカラービデオ信号を生成すると共に、上記無画面部の解像度を補強する信号を輝度信号として扱うように処理する手段と、
上記所定ラインに送られてくる識別信号をデコードする手段と、
上記輝度信号、色差信号からなるコンポーネントカラービデオ信号のうち、上記識別信号が含まれている所定ラインの輝度信号を所定のレベルに固定する手段と、
上記輝度信号と、色差信号とからなるコンポーネントカラービデオ信号から有効情報を抽出する手段と、
上記有効情報として抽出された輝度信号と、色差信号とからなるコンポーネントカラービデオ信号を圧縮符号化する手段と、
上記所定ラインに送られてくる識別信号に基づいて予備データを生成する手段と、
上記圧縮符号化された輝度信号と、色差信号とからなるコンポーネントカラービデオ信号に、上記所定ラインに送られてくる識別信号に基づいて生成された予備データを付加する手段と、
上記予備データが付加された上記圧縮符号化された輝度信号と、上記色差信号からなるコンポーネントカラービデオ信号を記録媒体に記録する手段と
を備えるようにしたディジタルビデオ信号記録装置。
【請求項２】
上記レターボックス形式で伝送され、無画面部に解像度を補強する信号が多重化されたコンポジットカラービデオ信号はＥＤＴＶ−２の信号であり、上記識別信号が送られてくる所定ラインはライン２２とライン２８５であり、上記固定レベルとされる所定ラインの信号はライン２８５の信号である請求項１記載のディジタルビデオ信号記録装置。
【請求項３】
上記レターボックス形式で伝送され、無画面部に解像度を補強する信号が多重化されたコンポジットカラービデオ信号はＰＡＬｐｌｕｓの信号であり、上記識別信号が送られてくる所定ラインはライン２３であり、上記固定レベルとされる所定ラインの信号はライン２３の信号である請求項１記載のディジタルビデオ信号記録装置。
【請求項４】
上記固定レベルは、ペデスタルレベルである請求項１、２、又は３記載のディジタルビデオ信号記録装置。
【請求項５】
レターボックス形式で伝送され、無画面部に解像度を補強する信号が多重化されていると共に所定ラインに識別信号が含まれるコンポジットカラービデオ信号から、輝度信号と、色差信号とからなるコンポーネントカラービデオ信号を生成すると共に、上記無画面部の解像度を補強する信号を輝度信号として扱うように処理し、
上記所定ラインに送られてくる、上記レターボックス形式のアスペクト比を示す情報を含む識別信号に基づいて予備データを生成し、上記輝度信号、色差信号からなるコンポーネントカラービデオ信号のうち、上記識別信号が含まれている所定ラインの輝度信号を所定のレベルに固定し、
有効情報として抽出された輝度信号と、色差信号とからなるコンポーネントカラービデオ信号を圧縮符号化し、上記圧縮符号化された輝度信号と、色差信号とからなるコンポーネントカラービデオ信号に、生成された上記予備データを付加し、
上記予備データが付加された上記圧縮符号化された輝度信号と、上記色差信号からなるコンポーネントカラービデオ信号が記録された記録媒体を再生するディジタルビデオ信号再生装置において、
上記コンポーネントカラービデオ信号を記録媒体から再生する手段と、
上記再生された圧縮符号化されたコンポーネントカラービデオ信号に対して伸長処理を行い、輝度信号と、色差信号とからなるコンポーネントカラービデオ信号を生成する手段と、
上記予備データを復号し、復号データから上記識別信号を生成する手段と、
上記コンポーネントカラービデオ信号をコンポジットカラービデオ信号に変換すると共に、上記輝度信号の無画面部のオフセットを除去し、
解像度を補強する信号が多重化された上記輝度信号と上記オフセットが除去された無画面部の輝度信号に対して、生成された上記識別信号を上記所定のラインに挿入する手段と
を備えるようにしたディジタルビデオ信号再生装置。
【発明の詳細な説明】
【０００１】
【産業上の利用分野】
この発明は、特に、ＥＤ−ＴＶ２やＰＡＬｐｌｕｓ等、レターボックス形式で伝送され、無画面部や主画面部に解像度を補強する信号を送るようにしたコンポジットカラービデオ信号を記録するディジタルビデオ信号記録装置に関する。
【０００２】
【従来の技術】
近年、ＮＴＳＣ方式やＰＡＬ方式のテレビジョン信号と互換性を保ちつつ、高画質化、ワイド画面化を図るようにした放送方式、例えば、ＥＤＴＶ−２方式やＰＡＬｐｌｕｓ方式が提案されている。すなわち、現行のＮＴＳＣ方式やＰＡＬ方式では、アスペクト比が４：３とされている。これに対して、ワイド画面では、アスペクト比が１６：９や１４：９とされており、現行の画面に比べて、横長の画面とされている。ＥＤＴＶ−２方式やＰＡＬｐｌｕｓ方式は、１６：９のワイド画面をテレビジョン受像機で映出したときに、高画質化が図れると共に、現行の４：３のテレビジョンも映出できるようにしたものである。
【０００３】
これらＥＤＴＶ−２方式やＰＡＬｐｌｕｓ方式は、レターボックス型の画面を基本としている。レターボックス型というのは、図２１に示すように、中央に画面を映出し、画面の上下は無画面とするようにしたものである。例えば、ＮＴＳＣ方式なら、画面の中央部の３６０ラインに映像信号が載せられ、上下の６０ラインは無画面とされる。これにより、１６：９の横長の画面が形成される。
【０００４】
ＥＤＴＶ−２の場合には、図２２に示すように、レターボックの画面の上下に、ＶＴ  及びＶＨ  信号が多重され、主画面部にＨＨ  信号が多重される。ＶＴ  信号は、倍速ノンインターレースで撮影した画像信号をインターレースで伝送する場合に、インターレース化の過程で失われる垂直時間高域成分である。ＶＨ  信号は、１６：９の画像信号をレターボックス型にしたときに失われる垂直輝度高域成分である。つまり、レターボックス型にして伝送すると、ＮＴＳＣ方式では、走査線の数が４８０本から３６０本に減ったことになり、垂直解像度が約３／４に劣化することになる。ＶＨ  信号は、このときに失われる垂直輝度高域成分を補強する。ＨＨ  信号は、４．２ＭＨｚから６ＭＨｚの水平輝度高域成分である。ＨＨ  信号は、主画面部の吹抜ホールに周波数シフトして多重化される。
【０００５】
ＥＤＴＶ−２の場合には、図２３に示すように、ライン２２とライン２８５に、アスペクト比を示すＮＲＺの信号（Ｂ１〜Ｂ４）が設けられ、次にＶＴ  、ＶＨ  、ＨＨ  の各信号成分の有無を示す識別信号（カラーサブキャリアで変調されており、カラーサブキャリアに対して０相かπ相かでＶＴ  、ＶＨ  、ＨＨ  の各信号成分の有無を識別する）が設けられ、最後にＥＤＴＶ−２であることを識別するための２．０４ＭＨｚの確認信号が設けられる。
【０００６】
ＰＡＬｐｌｕｓ方式の場合には、図２４に示すように、レターボックスの画面の上下に、垂直解像度を補強するためのヘルパー信号が多重される。そして、ＰＡＬｐｌｕｓ方式の場合には、図２５に示すように、ライン２３にアスペクト比やヘルパー信号の有無を示すＷＳＳ（Ｗｉｄｅ  Ｓｃｒｅｅｎ  Ｓｉｇｎａｌｉｎｇ）信号が設けられ、更にヘルパー信号がある場合には、そのラインの後半に、サブキャリア周波数（４．４３ＭＨｚ）のリファレンスバースト信号が設けられる。更にライン６２３に白１００％のレベルを示すリファレンス信号が送られてくる。
【０００７】
本願出願人は、このようなＥＤＴＶ−２方式やＰＡＬｐｌｕｓ方式の放送に備えて、圧縮記録方式のディジタルＶＴＲで、ＥＤＴＶ−２方式やＰＡＬｐｌｕｓ方式の信号を記録できるようにしたものを提案している。
【０００８】
つまり、圧縮記録方式のディジタルＶＴＲで、ＥＤ−ＴＶ２の信号を圧縮記録方式のディジタルＶＴＲで記録する場合、画面の上下の無画面部に送られてくるＶＴ  及びＶＨ  信号は、輝度信号として扱われて記録される。主画面部のＨＨ  信号は、デコードされ、主画面部の輝度信号に多重化されて記録される。ライン２２、２８５のアスペクト比情報をそのまま、また識別信号はデコードされ、これらの情報がＶＡＵＸデータ（ビデオ予備データ）として保存される。
【０００９】
また、ＰＡＬｐｌｕｓのビデオ信号を記録する場合、画面の上下の無画面部に送られてくるヘルパー信号は復調され、輝度信号として扱われて記録される。ＰＡＬｐｌｕｓ信号から、ライン２３のＷＳＳ信号が取り出され、このＷＳＳ信号のデータがＶＡＵＸデータとして保存される。
【００１０】
ところで、ディジタルＶＴＲでは、有効画面だけを抽出して圧縮符号化し、垂直ブランキング期間や水平ブランキング期間のデータは落とされている。上述のような圧縮方式のディジタルＶＴＲでは、ＮＴＳＣ方式の（５２５−６０方式）の場合には、図２６に示すように、フィールド１ではライン２３〜２６２、フィールド２ではライン２８５〜５２４が有効ラインとして定められている。また、ＰＡＬ方式（６２５−５０方式）の場合には、図２７に示すように、フィールド１ではライン２３〜３１０、フィールド２ではライン３３５〜６２２が有効ラインとして定められている。
【００１１】
このように有効ラインを定めると、ＮＴＳＣ方式の（５２５−６０方式）の場合には、ライン２２とライン２６３の０．５Ｈとライン５２５の画像信号が失われ、また、ＰＡＬ方式の場合には、ライン６２３の０．５Ｈの画像信号が失われてることになる。しかしながら、これらの失われた画像信号は、現行の４：３のアスペクト比のテレビジョン方式では、画面の上下の隠れた位置になるので、実用上は問題がない。
【００１２】
【発明が解決しようとする課題】
ところが、このように有効ラインが設定されていると、ＥＤＴＶ−２方式の場合、ライン２８５が有効ラインとなる。このライン２８５には、ＥＤＴＶ−２のアスペクト比を示す信号と各信号成分の有無を示す識別信号と２．０４ＭＨｚの確認信号（図２３）とが送られてくる。
【００１３】
また、ＰＡＬｐｌｕｓ方式の場合、ライン２３が有効ラインとなる。このライン２３には、アスペクト比やヘルパー信号の有無等を示すＷＳＳ信号（図２５）及びリファレンス信号が送られてくる。
【００１４】
このように、ＥＤＴＶ−２のライン２８５や、ＰＡＬｐｌｕｓ方式のライン２３が有効画面内にあると、以下のような問題が生じる。
【００１５】
先ず、ＥＤＴＶ−２のライン２８５の信号や、ＰＡＬｐｌｕｓのライン２３の信号中には、サブキャリアに関連した信号が含まれている。これらの信号は、クロマ信号成分として扱われてディジタルＶＴＲに記録されることになる。圧縮方式のディジタルＶＴＲでは、４：１：１又は４：２：０で記録され、クロマ信号に割り当てられる情報量が少なく、クロマ信号としてこれらの信号が記録されてしまうと、本来のクロマ信号に影響が与えられ、色再現性が著しく劣化する。
【００１６】
また、これらのラインには、ＮＲＺの信号が含まれている。ＮＲＺの信号は、直流から非常に高域まで広い周波数成分を含んでいるので、ＤＣＴによる圧縮効果が少ない。このため、量子化の際に粗い量子化テーブルが用いられる結果となり、画質が劣化する。
【００１７】
更に、ＶＡＵＸに保存しておいたアスペクト比や解像度を補強するための信号の有無を示す信号を再生時に付加する際に、挿入すべきラインが有効ラインとされていると、記録時と再生時とのクロック位相のずれにより、ＶＡＵＸデータから復元されたデータだけでなく、実画面として圧縮記録、伸長再生されたデータが位置がずれた状態でミックスされた場合、ＥＤＴＶ−２デコーダやＰＡＬｐｌｕｓデコーダが誤動作する可能性がある。
【００１８】
したがって、この発明の目的は、ＥＤＴＶ−２の信号やＰＡＬｐｌｕｓの信号を記録した場合に、画質の劣化が生じることがないようにしたディジタルビデオ信号記録装置を提供することにある。
【００１９】
【課題を解決するための手段】
この発明は、レターボックス形式で伝送され、無画面部に解像度を補強する信号が多重化されていると共に所定ラインに識別信号が含まれるコンポジットカラービデオ信号を入力する手段と、
入力されたコンポジットカラービデオ信号から輝度信号と、色差信号とからなるコンポーネントカラービデオ信号を生成すると共に、無画面部の解像度を補強する信号を輝度信号として扱うように処理する手段と、
所定ラインに送られてくる識別信号をデコードする手段と、
輝度信号、色差信号からなるコンポーネントカラービデオ信号のうち、識別信号が含まれている所定ラインの輝度信号を所定のレベルに固定する手段と、
輝度信号と、色差信号とからなるコンポーネントカラービデオ信号から有効情報を抽出する手段と、
有効情報として抽出された輝度信号と、色差信号とからなるコンポーネントカラービデオ信号を圧縮符号化する手段と、
所定ラインに送られてくる識別信号に基づいて予備データを生成する手段と、
圧縮符号化された輝度信号と、色差信号とからなるコンポーネントカラービデオ信号に、所定ラインに送られてくる識別信号に基づいて生成された予備データを付加する手段と、
予備データが付加された圧縮符号化された輝度信号と、色差信号からなるコンポーネントカラービデオ信号を記録媒体に記録する手段と
を備えるようにしたディジタルビデオ信号記録装置である。
【００２０】
この発明は、レターボックス形式で伝送され、無画面部に解像度を補強する信号が多重化されていると共に所定ラインに識別信号が含まれるコンポジットカラービデオ信号から、輝度信号と、色差信号とからなるコンポーネントカラービデオ信号を生成すると共に、無画面部の解像度を補強する信号を輝度信号として扱うように処理し、
所定ラインに送られてくる、レターボックス形式のアスペクト比を示す情報を含む識別信号に基づいて予備データを生成し、輝度信号、色差信号からなるコンポーネントカラービデオ信号のうち、識別信号が含まれている所定ラインの輝度信号を所定のレベルに固定し、
有効情報として抽出された輝度信号と、色差信号とからなるコンポーネントカラービデオ信号を圧縮符号化し、圧縮符号化された輝度信号と、色差信号とからなるコンポーネントカラービデオ信号に、生成された予備データを付加し、
予備データが付加された圧縮符号化された輝度信号と、色差信号からなるコンポーネントカラービデオ信号が記録された記録媒体を再生するディジタルビデオ信号再生装置において、
コンポーネントカラービデオ信号を記録媒体から再生する手段と、
再生された圧縮符号化されたコンポーネントカラービデオ信号に対して伸長処理を行い、輝度信号と、色差信号とからなるコンポーネントカラービデオ信号を生成する手段と、
予備データを復号し、復号データから識別信号を生成する手段と、
コンポーネントカラービデオ信号をコンポジットカラービデオ信号に変換すると共に、輝度信号の無画面部のオフセットを除去し、
解像度を補強する信号が多重化された輝度信号とオフセットが除去された無画面部の輝度信号に対して、生成された識別信号を所定のラインに挿入する手段と
を備えるようにしたディジタルビデオ信号再生装置である。
【００２１】
【作用】
ＥＤＴＶ−２のビデオ信号では、ライン２２、２８５に、アスペクト比情報、識別信号、確認信号が送られてくる。このライン２２、ライン２８５のうち、ライン２８５は、有効ラインにある。ビデオ信号を圧縮記録する際に、このライン２８５の信号が例えばペデスタルレベルに固定される。
【００２２】
ＰＡＬｐｌｕｓのビデオ信号では、ライン２３に、ＷＳＳ信号が送られてくる。このライン２３有効ラインにある。ビデオ信号を圧縮記録する際に、このライン２３の信号が例えばペデスタルレベルに固定される。
【００２３】
このように、ＥＤＴＶ−２やＰＡＬｐｌｕｓで、アスペクト比等を示す情報が送られるラインが有効画面内にある場合に、このラインの信号が例えばペデスタルレベルに固定される。これにより、画質の劣化が防げる。
【００２４】
【実施例】
この発明の実施例について、以下の順序で、図面を参照して説明する。
ａ．ＥＤＴＶ−２の場合の全体構成
ｂ．ＥＤＴＶ−２記録処理回路
ｃ．ＥＤＴＶ−２の場合のディジタルＶＴＲの記録系
ｄ．ＥＤＴＶ−２の場合のディジタルＶＴＲの再生系
ｅ．ＥＤＴＶ−２再生処理回路
ｆ．ＰＡＬｐｌｕｓの場合の全体構成
ｇ．ＰＡＬｐｌｕｓ記録処理回路
ｈ．ＰＡＬｐｌｕｓの場合のディジタルＶＴＲの記録系及び再生系
ｉ．ＰＡＬｐｌｕｓ再生処理回路
【００２５】
ａ．ＥＤＴＶ−２の場合の全体構成
図１及び図２は、ＥＤＴＶ−２の信号を記録再生する場合の実施例である。図１において、１はチューナ、２はＥＤＴＶ−２記録処理回路、３はディジタルＶＴＲである。チューナ１で、ＥＤＴＶ−２方式の信号が受信される。ＥＤＴＶ−２の信号には、例えば、画面の上下にＶＴ  及びＶＨ  信号が多重され、主画面部にＨＨ  信号が多重されている。そして、ライン２２とライン２８５に、アスペクト比を示す信号と、ＶＴ  、ＶＨ  、ＨＨ  の各信号成分の有無を示す識別信号と、ＥＤＴＶ−２であることを識別するための２．０４ＭＨｚの確認信号とが設けられる。このＥＤＴＶ−２方式の受信信号がＥＤＴＶ−２記録処理回路２に供給される。
【００２６】
ＥＤＴＶ−２記録処理回路２は、ディジタルＶＴＲ３でＥＤＴＶ−２の信号を記録可能とするように、ＥＤＴＶ−２方式の信号を処理するものである。このＥＤＴＶ−２記録処理回路２は、主画面部のＨＨ  信号をデコードし、主画面部の輝度信号に多重化すると共に、画面の上下の無画面部に送られてくるＶＴ  及びＶＨ  信号に対して、オフセットを付加し、輝度信号として記録できるようにする。これと共に、ＥＤＴＶ−２の信号から、ライン２２、２８５に送られてくる識別信号をデコードし、アスペクト比、ＶＴ  、ＶＨ  、ＨＨ  の各信号成分の有無のデータを取り出す。ディジタルＶＴＲ３は、サンプリング周波数１３．５ＭＨｚで処理を行っているので、約６ＭＨｚの帯域まで記録可能である。ＥＤＴＶ−２記録処理回路２からは、コンポーネントカラー信号Ｙ、ＣＲ  、ＣＢ  が出力され、このコンポーネントカラー信号がディジタルＶＴＲ２に供給される。また、アスペクト比、ＶＴ  、ＶＨ  、ＨＨ  の各信号成分の有無のデータ、カラー位相情報がディジタルＶＴＲ３に送られる。
【００２７】
ディジタルＶＴＲ３は、コンポーネントカラー信号Ｙ、ＣＲ  、ＣＢ  をディジタル化し、ＤＣＴと可変長符号を用いて圧縮し、回転ヘッドにより磁気テープに記録するものである。また、ＥＤＴＶ−２の信号を記録する際には、ＥＤＴＶ−２記録処理回路２からアスペクト比や、ＶＴ  、ＶＨ  、ＨＨ  の各信号成分の有無等のデータが与えられ、これらがディジタルＶＴＲ３でＶＡＵＸデータとして保存される。この時、この実施例では、ＨＨ  信号をデコードして６ＭＨｚの帯域のままで信号を復元しているため、ＨＨ  信号は無しとして保存される。なお、ディジタルＶＴＲ３でビデオ信号を記録する際には、有効部分のみが抽出される。識別信号等が送られてくるライン２２、２８５のうち、ライン２２は有効ライン外となるが、ライン２８５は有効ライン内にある。この実施例では、このライン２８５の信号がペデスタルレベルの信号にすげ替えられる。これにより、これらの信号が有効画面として記録されることがなくなり、色再現性の劣化や、画質の劣化が防止される。
【００２８】
図２は、再生系の構成を示すものである。図２において、ディジタルＶＴＲ５からは、コンポーネントカラービデオ信号Ｙ、ＣＲ  、ＣＢ  が出力される。このコンポーネントカラービデオ信号Ｙ、ＣＲ  、ＣＢ  は、前述したように、主画面部から再生される輝度信号はＨＨ  信号が多重化されたものであり、画面の上下の無画面部の輝度信号は、オフセットが付加されたＶＴ  及びＶＨ  信号である。このコンポーネントカラービデオ信号Ｙ、ＣＲ  、ＣＢ  がＥＤＴＶ−２再生処理回路６に供給される。また、ディジタルＶＴＲ５からは、ＶＡＵＸデータから、アスペクト比や、ＶＴ  、ＶＨ  、ＨＨ  の各信号成分の有無等のデータ、カラー位相データが出力される。これらのデータがＥＤＴＶ−２再生処理回路６に供給される。
【００２９】
ＥＤＴＶ−２再生処理回路６は、無画面部のＶＴ  及びＶＨ  信号のオフセットを除去する。更に、アスペクト比のデータや、ＶＴ  、ＶＨ  、ＨＨ  の各信号成分の有無等を示す識別信号や、ＥＤＴＶ−２であることを識別するための２．０４ＭＨｚの確認信号を発生し、これらをライン２２とライン２８５に多重化する。
【００３０】
ＥＤＴＶ−２再生処理回路６の出力がワイド画面のテレビジョン受像機７に供給される。テレビジョン受像機７は、ＥＤＴＶ−２のデコーダを有している。テレビジョン受像機７で、ＥＤＴＶ−２方式の信号がデコードされ、これがテレビジョン画面に映出される。
【００３１】
この実施例では、輝度信号は６ＭＨｚの帯域まで戻されている。通常のコンポジットビデオ入力やＳ入力では、ディジタルＶＴＲ３から６ＭＨｚの帯域がそのまま伝送できるので、何等処理を必要とせずに、高画質が得られる。
【００３２】
ｂ．ＥＤＴＶ−２記録処理回路
図３は、ＥＤＴＶ−２記録処理回路２の一例である。図３において、入力端子１１にＥＤＴＶ−２の信号が供給される。入力端子１１からの信号は、３次元Ｙ／Ｃ分離回路１２に供給される。３次元Ｙ／Ｃ分離回路１２により、輝度信号Ｙとクロマ信号Ｃとが分離される。これと共に、３次元Ｙ／Ｃ分離回路１２で、吹抜ホールに多重化されている信号が取り出され、これがＨＨ  信号復調回路１３に供給される。ＨＨ  信号復調回路１３で、吹抜ホールに多重化されていたＨＨ  信号が復調される。このＨＨ  信号復調回路１３の出力から、周波数４．２〜６ＭＨｚの高域水平輝度成分が得られる。このＨＨ  信号復調回路１３の出力が加算回路１４に供給される。
【００３３】
Ｙ／Ｃ分離回路１２からは、周波数４．２ＭＨｚまでの輝度信号Ｙと、クロマ信号Ｃとが出力される。輝度信号Ｙが加算回路１４に供給される。加算回路１４で、この周波数４．２ＭＨｚまでの輝度信号Ｙに、ＨＨ  信号復調回路１３からの周波数４．２〜６ＭＨｚの高域水平輝度成分が付加される。加算回路１４の出力がスイッチ回路１５の端子１５Ａに供給される。Ｙ／Ｃ分離回路１２からのクロマ信号がスイッチ回路１６に供給される。
【００３４】
また、入力端子１１からの信号は、オフセット付加回路１７に供給されると共に、識別信号デコード回路１８に供給される。また、入力端子１１からの信号中の同期信号が同期分離回路２０で検出される。同期分離回路２０の出力がラインデコーダ２１に供給される。ラインデコーダ２１の出力が識別信号デコード回路１８に供給されると共に、スイッチ制御回路２２に供給される。
【００３５】
オフセット付加回路１７は、輝度信号として処理できるように、無画部分に送られてくるＶＴ  及びＶＨ  信号にオフセットを与えるものである。このオフセット付加回路１７の出力がスイッチ回路１５の端子１５Ｂに供給される。
【００３６】
識別信号検出回路１８は、ライン２２、２８５に送られてくるアスペクト比、ＶＴ  、ＶＨ  、ＨＨ  の各信号成分の有無のデータを検出する。この識別信号検出回路１３の出力がデータ出力端子１９から出力される。また、識別信号検出回路１８で検出された識別信号に応じて、３次元Ｙ／Ｃ分離回路１２の状態が設定される。
【００３７】
スイッチ制御回路２２は、主画面部と無画面部とを切り換えるスイッチ制御信号を形成する。このスイッチ制御信号がスイッチ回路１５及び１６に供給される。このスイッチ制御信号により、スイッチ回路１５及び１６が主画面と無画面とで切り換えられる。
【００３８】
すなわち、画面の中央の主画面部では、スイッチ回路１５が端子１５Ａ側に設定されると共に、スイッチ回路１６がオンされる。上下の無画面部では、スイッチ回路１５が端子１５Ｂ側に設定されると共に、スイッチ回路１６がオフされる。したがって、スイッチ回路１５からは、主画面部では、水平高域成分ＨＨ  が付加された輝度信号Ｙが出力され、無画面部では、オフセットが付加された垂直解像度補強信号ＶＴ  、ＶＨ  が出力される。スイッチ回路１６からは、主画面部では、クロマ信号Ｃが出力され、無画面部では、信号が出力されない。
【００３９】
スイッチ回路１５の出力が出力端子２３から出力される。スイッチ回路１６の出力が色復調回路２４に供給される。色復調回路２４で、クロマ信号Ｃから色差信号ＣＲ  、ＣＢ  が復調される。この色差信号ＣＲ  、ＣＢ  が出力端子２５及び２６から出力される。
【００４０】
ｃ．ＥＤＴＶ−２の場合のディジタルＶＴＲの記録系
図４は、ディジタルＶＴＲ３の記録系の構成を示すものである。図４において、入力端子３１、３２、３３には、コンポーネントカラービデオ信号Ｙ、ＣＲ  、ＣＢ  が供給される。このコンポーネントカラービデオ信号Ｙ、ＣＲ  、ＣＢ  がＡ／Ｄコンバータ３４に供給される。Ａ／Ｄコンバータ３４は、コンポーネント信号Ｙ、ＣＲ  、ＣＢ  を、周波数１３．５ＭＨｚのサンプリングクロックで、ディジタル化するものである。ＮＴＳＣ方式の場合には、輝度信号Ｙの情報量４に対して色差信号ＣＲ  、ＣＢ  の情報量が夫々１とされ、所謂４：１：１でディジタル化される。Ａ／Ｄコンバータ３４の出力がマスキング回路３８に供給される。
【００４１】
また、入力ビデオ信号が同期分離回路３５に供給される。同期分離回路３５で、同期信号が検出される。この同期分離回路３５の出力がラインデコーダ３６に供給される。ラインデコーダ３６の出力がマスキング信号発生回路３７に供給される。マスキング信号発生回路３７には、コントローラ３０から、ＥＤＴＶ−２方式の信号であるかどうかを示す信号が供給される。マスキング信号発生回路３７は、ＥＤＴＶ−２方式の信号が入力された場合には、ライン２８５でマスキング信号を発生する。このマスキング信号がマスキング回路３８に供給される。
【００４２】
マスキング回路３８により、ＥＤＴＶ−２方式の信号が入力された場合には、ライン２８５の信号が所定の値（例えばペデスタルレベルを示す値１６）にマスキングされる。
【００４３】
マスキング回路３８の出力が有効情報抽出回路３９に供給される。有効情報抽出回路３９で、垂直ブランキング期間や水平ブランキング期間等、有効画面外ののデータが落とされ、有効画面内のデータだけが抽出される。ここで、有効ラインとしては、フィールド１の２３ライン〜２６２ラインと、フィールド２の２８５ライン〜５２４ラインとされている。ＥＤＴＶ−２では、アスペクト比のデータや、ＶＴ  、ＶＨ  、ＨＨ  の各信号成分の有無等の識別信号や、ＥＤＴＶ−２であることを識別するための２．０４ＭＨｚの確認信号がライン２２とライン２８５に多重化されているが、ライン２２は有効ライン内にないので、ここで除去される。ライン２８５については、有効ライン内にあるが、マスキング回路３８により、ペデスタルレベルにすげ替えられている。
【００４４】
有効情報抽出回路３９の出力がブロック化及びシャフリング回路４０に供給される。ブロック化及びシャフリング回路４０で、（８×８）のブロックにブロック化され、そして、圧縮が画面全体で平均化されると共に、ヘッドのクロッグやテープの損傷等でデータが集中的に欠落するのを防ぐために、シャフリングがなされる。
【００４５】
ブロック化及びシャフリング回路４０の出力が圧縮回路４１に供給される。圧縮回路４１は、ＤＣＴ変換と、可変長符号化により、ビデオデータを圧縮するものである。すなわち、圧縮回路４１は、ＤＣＴ変換回路と、ＤＣＴ変換されたデータを量子化する量子化器と、総符号量を推定し最適な量子化器を決定するエスティメータと、２次元ハフマン符号を用いてデータを圧縮する可変長符号化回路とを有している。圧縮回路４１で、（８×８）の時間領域のデータが（８×８）の周波数領域の係数データに変換され、これが量子化され、可変長符号化される。
【００４６】
圧縮回路４１の出力がフレーム化回路４２に供給される。フレーム化回路４２で、所定のシンクブロック中に所定の規則で、ビデオデータが詰め込まれる。フレーム化回路４２の出力がＶＡＵＸ付加回路４３に供給される。
【００４７】
ＶＡＵＸ付加回路４３には、ＶＡＵＸ発生回路４４から、ＶＡＵＸデータが供給される。ＶＡＵＸ発生回路４４には、コントローラ３０からデータがＶＡＵＸデータが与えられる。ＶＡＵＸ付加回路４３でＶＡＵＸデータが付加されたビデオデータは、マルチプレクサ４５に供給される。
【００４８】
端子４６には、ＥＤＴＶ−２記録処理回路２（図３）から、アスペクト比データ、識別信号のデータ（ＶＴ  、ＶＨ  、ＨＨ  の各信号成分の有無等）、カラー位相情報が供給される。ＶＡＵＸ発生回路４４から発生されるＶＡＵＸデータには、これらのデータが含まれている。
【００４９】
具体的には、ＶＡＵＸに図１２に示すＴＲパック（ヘッダー６６ｈ）が設けられ、識別信号のデータがこのＴＲパックに記録される。また、アスペクト比情報は、ＶＡＵＸのソースコントロールパック（ヘッダーＰＣ０＝６１ｈ）のＤＩＳＰ（Ｄｉｓｐｌａｙ  Ｓｅｌｅｃｔ  Ｍｏｄｅ）として記録される。また、カラー位相情報がＶＡＵＸのソースパック（ヘッダーＰＣ０＝６０ｈ）のＣＬＦ（Ｃｏｌｏｒ  Ｆｒａｍｅ  Ｉｄｅｎｔｉｆｉｃａｔｉｏｎ  Ｃｏｄｅ）として記録される。
【００５０】
また、入力端子４７には、オーディオ信号が供給される。このオーディオ信号がＡ／Ｄコンバータ４８に供給される。Ａ／Ｄコンバータ４８で、オーディオ信号がディジタル化される。このオーディオ信号がオーディオ信号処理回路４９に供給される。オーディオ処理回路４９で、オーディオデータが所定のシンクブロック内に詰め込まれる。オーディオ信号処理回路４９の出力がＡＡＵＸ付加回路５０に供給される。
【００５１】
ＡＡＵＸ付加回路５０には、コントローラ３０からの制御の基に、ＡＡＵＸ発生回路５１から、ＡＡＵＸデータが供給される。ＡＡＵＸ付加回路５０で、オーディオデータにＡＡＵＸデータが付加される。このＡＡＵＸデータが付加されたオーディオデータがマルチプレクサ回路４５に供給される。
【００５２】
サブコード発生回路５２で、サブコードが発生される。サブコードデータは、高速サーチの際に用いられる。このサブコードデータがマルチプレクサ回路４５に供給される。
【００５３】
マルチプレクサ回路４５で、ビデオデータと、オーディオデータと、サブコードデータとが切り換えられる。このマルチプレクサ回路４５の出力がエラー訂正符号化回路５４に供給される。エラー訂正符号化回路５４で、記録データにエラー訂正符号が付加される。エラー訂正符号化回路５４の出力がチャネルコード５５に供給される。チャネルコーダ５５で、記録データが２４／２５変換される。ここで、更に、ディジタル記録に適したパーシャルレスポンスクラス４のコーディング処理が行われる。チャネルコーダ５５の出力が記録アンプ（図示せず）を介してヘッド５６に供給される。
【００５４】
ビデオトラックには、図５に示すように、トラックが形成される。各トラックの先頭には、ＩＴＩエリアが設けられ、これに続いて、オーディオエリアと、ビデオエリアと、サブコードエリアが設けられる。ＩＴＩエリアは、アフレコを確実に行うためのタイミングブロックで、これ以降のエリアに書かれたデータをアフレコして書き直す場合に、位置決めを正確に行うために用いられる。オーディオエリアには、オーディオデータが記録される。ビデオエリアには、圧縮されたビデオデータが記録される。サブコードエリアは、高速サーチに用いられる。ＮＴＳＣ方式のデータを記録する場合、１ビデオフレームは１０トラックで記録される。
【００５５】
図６及び図７は、オーディオエリアのデータの構成を示すものである。図６に示すように、１シンクブロックは９０バイトで構成される。データ部の前半の５バイトは、プリシンク、ポストシンクとされ、データ部は７７バイト（オーディオデータ７２バイトとＡＡＵＸ５バイト）とされる。データ部は、水平パリティＣ１（８バイト）と垂直パリティＣ２（５シンクブロック）により保護されている。図７に示すように、１トラック当たりでは、１４シンクブロックが配置される。データ部の前半５バイトはＡＡＵＸ用である。この５バイトで１パックが構成される。
【００５６】
図８及び図９は、ビデオエリアのデータの構成を示すものである。ビデオエリアの１シンクブロックは、９０バイトで構成される。データ部の前半の５バイトは、プリシンク、ポストシンクとされ、データ部は７７バイトとされる。図８及び図９に示すように、水平パリティＣ１（８バイト）と垂直パリティＣ２（１１シンクブロック）により、保護されている。
【００５７】
図９は、ビデオセクタの１４９シンクブロックを縦に並べたものである。図９に示すように、上部の２シンクブロックと、Ｃ２パリティの直前の２シンクブロックがＶＡＵＸ用として確保されている。ＶＡＵＸ用とＣ２パリティ用以外には、ビデオデータが格納される。図９において、中央部の１３５シンクブロックがビデオ信号の格納エリアである。図中、ＢＵＦ０からＢＵＦ２６は、夫々、バッファリングユニットを示している。１バッファリングユニットは、５シンクブロックで構成され、１トラックに２７個のバッファリングユニットが含まれる。また、１ビデオフレーム、１０トラックでは、２７０バッファリングユニット存在する。つまり、１フレームの画像データのうち、画像として有効なエリアを抜き出し、そこをサンプリングして集め２７０個のグループが形成される。その１グループが１バッファリングユニットである。
【００５８】
１バッファリングユニット毎に、ＤＣＴ変換、量子化、可変長符号化等によっデータ圧縮を試み、発生する符号量が目標データ以下かどうかが評価される。そして、発生データ量が目標以下となるような量子化ステップが決定され、この量子化ステップを用いて実際の符号化がなされる。そして、発生した符号化データが１バッファリングユニット、５シンクブロックに詰め込まれる。
【００５９】
図１０は、サブコードエリアのデータ構成を示すものである。サブコードエリアは、図１０に示すように、１２シンクブロックで構成される。１シンクブロックは、１２バイトであり、ビデオエリアやオーディオエリアの１シンクブロックより短くされている。これは、高速サーチを可能にするためである。１シンクブロックの先頭には、１バイトのプリシンクとポストシンクが設けられる。これに続いて、ＩＤ０、ＩＤ１とからなるＩＤデータと、ＩＤ０、ＩＤ１に対するパリティであるＩＤＰとの３バイトが付加される。次に、５バイトのメインデータエリアが設けられ、更に、２バイトのパリティが付加される。メインデータエリアには、タイムコード、記録年月日等、高速サーチに必要なものが格納される。
【００６０】
図１０Ｃ及び図１０Ｄに示すように、ＩＤ０には、高速サーチ時にアドレスを検出するためのＦ／Ｒフラグが設けられる。これに続いて、図１０Ｃに示すように、シンクブロック番号ＳＢ０とＳＢ６では、サブコードのデータ構成を示すアプリケーションＩＤ（ＡＰＩ３）が配置され、次のＩＤ１と跨ぐように、絶対トラック番号が配置される。それ以外のシンクブロック番号では、図１１Ｄに示すように、Ｆ／Ｒフラグが設けられ、これに続いて、インデックスＩＤ、スキップＩＤ、フォトピクチャＩＤが設けられ、ＩＤ１と跨ぐように、絶対トラック番号が設けられる。ＩＤ１には、絶対トラック番号とシンク番号が設けられる。
【００６１】
オーディオエリアの予備データＡＡＵＸ、ビデオエリアの予備データＶＡＵＸ、サブコードデータ及びメモリ付カセットのデータ（図示せず）は、図１１に示すような、共通のパック構造で記述されている。パックは、基本的には５バイト（ＰＣ０〜ＰＣ４）で構成され、先頭の１バイトがヘッダ、残りの４バイトがデータである。
【００６２】
ヘッダーは、上位４ビットと、下位４ビットに分かれ、２階層とされ、更に、データのビットアサインによりその下の階層まで拡張することができる。この階層化により、パックの内容は明確に系統だてられ、その拡張も用意となる。そして、この上位ヘッダと下位ヘッダにより２５６の空間は、パックヘッダ表として、そのパックの内容と共に準備される。これを用いて、各エリアが記述される。パック構造は５バイトを基本とするが、例外として、メモリ付カセット内に文字を記述する時には、可変長とされる。
【００６３】
図１２は、識別信号の格納されるＶＡＵＸのＴＲパックの構成を示すものである。ＴＲパックは、ヘッダーバイトＰＣ０が「６６ｈ」とされる。データタイプ（ＤＡＴＡ  ＴＹＰＥ）は４ビットで、各種信号を区別する。このデータタイプ（ＤＡＴＡ  ＴＹＰＥ）は、以下のように定義される。
【００６４】
００００＝ＶＢＩＤ
０００１＝ＷＳＳ
００１０＝ＥＤＴＶ−２  ｉｎ  ２２ライン
００１１＝ＥＤＴＶ−２  ｉｎ  ２８５ライン
０１００＝  Ｎｏ  Ｉｎｆｏｒｍａｔｉｏｎ
その他＝未定義
【００６５】
このＴＲパックには、ＥＤＴＶ−２の信号を記録した場合には、前述したように、ライン２２及びライン２８５の識別信号のデータが格納される。データ部は、２８ビット分用意されている。そして、水平同期信号に近いほうをＬＳＢとして、順にデータが詰め込まれる。
【００６６】
図１３は、カラー位相情報が格納されるＶＡＵＸのソースパックの構成を示すものである。ソースパックは、ヘッダバイトＰＣ０が「６０ｈ」とされる。ＰＣ１には、カラーフレーム識別コード（ＣＬＦ）が格納される。カラーフレーム識別コード（ＣＬＦ）は、５２５／６０システムでは、以下のように定義されている。
【００６７】
００＝カラーフレームＡ
０１＝カラーフレームＢ
その他はリザーブ
【００６８】
また、６２５／５０システムでは、以下のように定義されている。
００＝第１、第２フィールド
０１＝第３、第４フィールド
１０は第５、第６フィールド
１１＝第７、第８フィールド
【００６９】
図１４は、アスペクト比情報が格納されるＶＡＵＸのソースコントロールパックの構成を示すものである。ソースコントロールパックは、ヘッダバイトＰＣ０が「６１ｈ」とされる。ＰＣ２には、ディスプレイセレクモード（ＤＩＳＰ）が設けられる。このディスプレイセレクトモード（ＤＩＳＰ）により、以下のように、アスペクト比が定義される。
【００７０】
０００＝４：３ノーマル
００１＝４：３レターボックス
０１０＝１６：９
【００７１】
ｄ．ＥＤＴＶ−２の場合のディジタルＶＴＲの再生系
図１５は、ディジタルＶＴＲの再生系５の構成の一例である。図１５において、ヘッド６１の再生信号は、再生アンプ（図示せず）を介して、チャンネルデコーダ６２に供給される。チャンネルデコーダ６２で、再生信号が復調される。チャンネルデコーダ６２の出力がエラー訂正回路６３に供給される。エラー訂正回路６３により、エラー訂正処理がなされる。エラー訂正回路６３の出力がデマルチプレクサ６４に供給される。
【００７２】
デマルチプレクサ６４により、オーディオエリアの再生データと、ビデオエリアの再生データと、サブコードエリアの再生データとが分けられる。
【００７３】
オーディオエリアの再生データは、オーディオ処理回路６７に供給される。また、オーディオエリアの再生データ中のＡＡＵＸデータがＡＡＵＸデコード回路６８で検出される。このＡＡＵＸデータがコントローラ６０に供給される。オーディオ処理回路６７で、時間軸変換、補間等の処理がなされる。オーディオ処理回路６７の出力がＤ／Ａコンバータ７０に供給される。Ｄ／Ａコンバータ７０の出力が出力端子７１から出力される。
【００７４】
ビデオエリアの再生データは、デフレーム回路６５に供給される。また、ビデオエリアの再生データ中のＶＡＵＸデータがＶＡＵＸデコード回路６６で検出される。このＶＡＵＸデータがコントローラ６０に供給される。
【００７５】
なお、ＶＡＵＸのＴＲパックからは、ライン２２及びライン２８５の識別信号のデータが得られる。ＶＡＵＸのソースパックからは、カラー位相情報が得られる。また、ＶＡＵＸのソースコントロールパックからは、アスペクト情報が得られる。これらの情報は、データ出力端子７９から出力され、ＥＤＴＶ−２再生処理回路６（図６）に送られる。
【００７６】
サブコードエリアの再生データは、サブコードデコード回路６９で検出される。このサブコードデータがコントローラ６０に供給される。
【００７７】
デフレーム回路６５の出力が伸長回路７２に供給される。伸長回路７２は、可変長符号の復号と、逆ＤＣＴ変換により、圧縮記録されていたビデオ信号を元の時間領域のビデオ信号に変換するものである。伸長回路７２の出力がデシャフリング及びデブロック化回路７３に供給される。デシャフリング及びデブロック化回路７３からは、再生コンポーネントカラービデオ信号Ｙ、ＣＲ  ＣＢ  が得られる。この再生コンポーネントカラービデオ信号Ｙ、ＣＲ  ＣＢ  が情報付加回路７４に供給される。情報付加回路７４は、水平同期信号や垂直同期信号等を付加するものである。この情報付加回路７４の出力がＤ／Ａコンバータ７５に供給される。Ｄ／Ａコンバータ７５の出力が出力端子７６、７７、７８から出力される。
【００７８】
ＥＤＴＶ−２のビデオ信号を再生した場合には、この実施例では、主画面部の再生輝度信号Ｙには、周波数４．２ＭＨｚまでの輝度信号に加えて、周波数４．２〜６ＭＨｚの高域輝度成分が付加されている。また、無画面部の再生輝度信号Ｙは、オフセットが付加されたＶＴ  及びＶＨ  信号である。また、データ出力端子７９からは、アスペクト比情報、カラー位相情報、ＶＴ  、ＶＨ  、ＨＨ  の各信号成分の有無のデータが取り出される。そして、識別信号等を配置するライン２２は、有効画面外なので、ペデスタルレベルとなっている。また、ライン２８５は、有効画面内であるが、ＶＴＲの記録系のマスキング回路３８でペデスタルレベルにすげ替えられている。
【００７９】
ｅ．ＥＤＴＶ−２再生処理回路
図１６は、ＥＤＴＶ−２再生処理回路６の構成を示すものである。図１６において、入力端子８１に再生輝度信号Ｙが供給され、入力端子８２及び８３に再生色差信号ＣＲ  、ＣＢ  が供給される。また、データ入力端子８４に、アスペクト比情報、カラー位相情報、ＶＴ  、ＶＨ  、ＨＨ  の各信号成分の有無のデータが与えられる。
【００８０】
入力端子８１からの再生輝度信号は、スイッチ回路８５に供給されると共に、入力信号の同期信号が同期分離回路８６で検出される。入力端子８２及び８３からの再生色差信号ＣＲ  、ＣＢ  は、変調回路９０に供給される。変調回路９０で、色差信号ＣＲ  、ＣＢ  から、クロマ信号Ｃが形成される。この変調回路９０の出力がスイッチ回路９１に供給される。
【００８１】
同期分離回路８６の出力がラインデコーダ８７に供給される。ラインデコーダ８７で、ライン数がデコードされる。ラインデコーダ８７の出力がスイッチ制御回路８８に供給されると共に、識別信号発生回路８９に供給される。スイッチ制御回路８８は、主画面部と無画面部とを切り換えるスイッチ制御信号を形成する。このスイッチ制御信号がスイッチ回路８５及び９１に供給される。このスイッチ制御信号により、スイッチ回路８５及び９１が主画面と無画面とで切り換えられる。すなわち、画面の中央の主画面部では、スイッチ回路８５が端子８５Ａ側に設定されると共に、スイッチ回路９１がオンされる。上下の無画面部では、スイッチ回路８５が端子８５Ｂ側に設定されると共に、スイッチ回路９１がオフされる。
【００８２】
主画面の部分では、スイッチ回路８５が端子８５Ａ側に設定され、入力端子８１からの信号は、スイッチ回路８５を介して、加算回路９５に供給される。また、主画面の部分では、スイッチ回路９１がオンしている。このため、加算回路９５には、変調回路９０からクロマ信号Ｃが供給される。加算回路９５で、輝度信号Ｙとクロマ信号Ｃとが合成される。加算回路９５の出力が加算回路９７に供給される。
【００８３】
無画面部では、スイッチ回路８５が端子８５Ｂ側に設定され、入力端子８１からの信号は、オフセット除去回路９６に供給される。オフセット除去回路９６で、オフセットが取り除かれる。オフセット除去回路９６の出力が加算回路９７に供給される。加算回路９７の出力が加算回路９８に供給される。
【００８４】
データ入力端子８４からのデータは、識別信号発生回路８９に供給される。識別信号発生回路８９には、ラインデコーダ８７の出力が供給される。識別信号発生回路８９は、ライン２２及び２８５の信号を発生する。すなわち、識別信号発生回路８９は、ライン２２及び２８５で、アスペクト比を示すＮＲＺの信号と、ＶＴ  、ＶＨ  、ＨＨ  の各信号成分の有無を示す識別信号と、ＥＤＴＶ−２であることを識別するための２．０４ＭＨｚの確認信号とを発生する。この信号が加算回路９８に供給される。
【００８５】
加算回路９８により、ライン２２及び２８５で、アスペクト比を示すＮＲＺの信号と、ＶＴ  、ＶＨ  、ＨＨ  の各信号成分の有無を示す識別信号と、ＥＤＴＶ−２であることを識別するための２．０４ＭＨｚの確認信号が付加される。このように、ライン２２及び２８５に信号を付加する際、ライン２２及び２８５の再生信号はペデスタルレベルであったので、誤り無くデータを付加できる。加算回路９８の出力が出力端子９９から取り出される。
【００８６】
このようにして出力される信号は、ＥＤＴＶ−２の方式の信号であるから、ＥＤＴＶ−２対応のテレビジョン受像機に供給すれば、ワイド画面で高品質の再生画面を楽しむことができる。
【００８７】
ｆ．ＰＡＬｐｌｕの場合の全体構成
次に、ＰＡＬｐｌｕｓ方式の場合について説明する。図１７及び図１８は、ＰＡＬｐｌｕｓ方式の信号を記録する場合の実施例である。
【００８８】
図１７において、１０１はチューナ、１０２はＰＡＬｐｕｓ記録処理回路、１０３はディジタルＶＴＲである。チューナ１０１で、ＰＡＬｐｌｕｓの信号が受信される。ＰＡＬｐｌｕｓの信号には、画面の上下に、垂直解像度を補強するためのヘルパー信号が多重される。そして、ＰＡＬｐｌｕｓ方式の場合には、ライン２３にアスペクト比やヘルパー信号の有無を示すＷＳＳ（Ｗｉｄｅ  Ｓｃｒｅｅｎ  Ｓｉｇｎａｌｉｎｇ）信号が設けられ、更にヘルパー信号がある場合には、そのラインの後半に、サブキャリア周波数（４．４３ＭＨｚ）のリファレンスバースト信号が設けられる。更にライン６２３に白１００％のレベルを示すリファレンス信号が送られてくる。このＰＡＬｐｌｕｓの受信信号がＰＡＬｐｌｕｓ記録処理回路１０２に供給される。
【００８９】
ＰＡＬｐｌｕｓ記録処理回路１０２は、ディジタルＶＴＲ１０３で記録可能とするように、ＰＡＬｐｌｕｓの信号を処理するものである。このＰＡＬｐｌｕｓ信号処理１０２は、画面の上下の無画面部に送られてくるヘルパー信号をデコードし、オフセットを付加し、輝度信号として記録されるようにする。これと共に、ＰＡＬｐｌｕｓ信号から、ライン２３に送られてくるＷＳＳ信号をデコードし、アスペクト比情報やヘルパー信号の有無を示す情報等をディジタルＶＴＲ１０３に送る。
【００９０】
ディジタルＶＴＲ１０３は、コンポーネントカラー信号Ｙ、ＣＲ  、ＣＢ  をディジタル化し、ＤＣＴと可変長符号を用いて圧縮し、回転ヘッドにより磁気テープに記録するものである。また、ＰＡＬｐｌｕｓの信号を記録する際には、アスペクト比や、ヘルパー信号の有無等のデータが与えられ、これらがディジタルＶＴＲ１０３のＶＡＵＸデータとして記録される。なお、ディジタルＶＴＲ１０３でビデオ信号を記録する際には、有効部分のみが抽出される。ＷＳＳ信号が送られてくるライン２３は有効ライン内にある。この実施例では、このライン２３の信号がペデスタルレベルの信号にすげ替えられる。これにより、これらの信号が有効画面として記録されることがなくなり、色再現性の劣化や、画質の劣化が防止される。
【００９１】
図１８は、再生系の構成を示すものである。図１８において、ディジタルＶＴＲ１０５からは、コンポーネントカラービデオ信号Ｙ、ＣＲ  、ＣＢ  が出力される。このコンポーネントカラービデオ信号Ｙ、ＣＲ  、ＣＢ  がＰＡＬｐｌｕｓ再生処理回路１０６に供給される。また、ディジタルＶＴＲ１０５からは、ＶＡＵＸデータから、ヘルパー信号の有無やアスペクト比を示すデータが出力される。これらのデータがＰＡＬｐｌｕｓ再生処理回路１０６に供給される。
【００９２】
ＰＡＬｐｌｕｓ再生処理回路１０６は、無画面部のヘルパー信号のオフセットを除去し、変調する。更に、アスペクト比のデータや、ヘルパー信号の有無を示すＷＳＳ信号とリファレンス信号を発生し、これらをライン２３に多重化する。
【００９３】
ＰＡＬｐｌｕｓ再生処理回路１０６の出力がワイド画面のテレビジョン受像機１０７に供給される。テレビジョン受像機１０７には、ＰＡＬｐｌｕｓデコーダが備えられている。テレビジョン受像機１０７で、ＥＤＴＶ−２方式の信号がデコードされ、これがテレビジョン画面に映出される。
【００９４】
ｇ．ＰＡＬｐｌｕｓ記録処理回路
図１９は、ＰＡＬｐｌｕｓ記録処理回路１０２の一例である。図１９において、入力端子１１１にＰＡＬｐｌｕｓの信号が供給される。入力端子１１１からの信号は、Ｙ／Ｃ分離回路１１２に供給される。Ｙ／Ｃ分離回路１１２により、輝度信号Ｙとクロマ信号Ｃとが分離される。Ｙ／Ｃ分離回路１１２からの輝度信号Ｙがスイッチ回路１１４の端子１１４Ａに供給される。Ｙ／Ｃ分離回路１１２からのクロマ信号がスイッチ回路１２０に供給される。
【００９５】
また、入力端子１１１からの信号は、ヘルパー信号復調回路１１３に供給されると共に、ＷＳＳＳ信号デコード回路１１６に供給される。また、入力端子１１１からの信号中の同期信号が同期分離回路１１７で検出される。同期分離回路１１７の出力がラインデコーダ１１８に供給される。ラインデコーダ１１８の出力がＷＳＳ信号デコード回路１１６に供給されると共に、スイッチ制御回路１１９に供給される。
【００９６】
ヘルパー信号復調回路１１３で、ヘルパー信号が復調される。ヘルパー信号復調回路１１３の出力がオフセット付加回路１１５に供給される。オフセット付加回路１１５は、輝度信号として処理できるように、復調されたヘルパー信号にオフセットを与えるものである。このオフセット付加回路１１５の出力がスイッチ回路１１４の端子１１４Ｂに供給される。
【００９７】
ＷＳＳ信号検出回路１１６は、ライン２３に送られてくるＷＳＳ信号を検出する。このＷＳＳ信号検出回路１１６の出力がデータ出力端子１２５から出力される。
【００９８】
スイッチ制御回路１１９は、主画面部と無画面部とを切り換えるスイッチ制御信号を形成する。このスイッチ制御信号がスイッチ回路１１４及び１２０に供給される。このスイッチ制御信号により、スイッチ回路１１４及び１２０が主画面と無画面とで切り換えられる。
【００９９】
すなわち、画面の中央の主画面部では、スイッチ回路１１４が端子１１４Ａ側に設定されると共に、スイッチ回路１２０がオンされる。上下の無画面部では、スイッチ回路１１４が端子１１４Ｂ側に設定されると共に、スイッチ回路１２０がオフされる。したがって、スイッチ回路１１４からは、主画面部では、輝度信号Ｙが出力され、無画面部では、オフセットが付加されたヘルパー信号が出力される。スイッチ回路１２０からは、主画面部では、クロマ信号Ｃが出力され、無画面部では、信号が出力されない。
【０１００】
スイッチ回路１１４の出力が出力端子１２２から出力される。スイッチ回路１２０の出力が色復調回路１２１に供給される。色復調回路１２１で、クロマ信号Ｃから色差信号ＣＲ  、ＣＢ  が復調される。この色差信号ＣＲ  、ＣＢ  が出力端子１２３及び１２４から出力される。
【０１０１】
ｈ．ＰＡＬｐｌｕｓの場合のディジタルＶＴＲの記録系及び再生系
ＰＡＬｐｌｕｓの信号を記録／再生するディジタルＶＴＲ１０３及び１０５の構成は、前述のＥＤＴＶ−２の信号を記録する場合と、同様である。但し、ＰＡＬｐｌｕｓの信号を記録する場合には、図４におけるＡ／Ｄコンバータ３４では、コンポーネントカラービデオ信号が４：２：０でディジタル化される。また、マスキング信号発生回路３７からは、ライン２３でマスキング信号が発生され、ライン２３のＷＳＳ信号がペデスタルレベルの信号にすげ替えられる。そして、１ビデオフレームが１２トラックで記録される。更に、ＶＡＵＸのＴＲパックには、ＷＳＳのデータが記録され、ＶＡＵＸのソースコントロールパックには、アスペクト比情報が記録される。
【０１０２】
ｉ．ＰＡＬｐｌｕｓ再生処理回路
図２０は、ＰＡＬｐｌｕｓ再生処理回路１０６の構成を示すものである。図２０において、入力端子１３１に再生輝度信号Ｙが供給され、入力端子１３２及び１３３に再生色差信号ＣＲ  、ＣＢ  が供給される。また、データ入力端子１３４に、アスペクト比情報、ヘルパー信号の有無のデータが与えられる。
【０１０３】
入力端子１３１からの再生輝度信号は、スイッチ回路１３５に供給されると共に、入力信号の同期信号が同期分離回路１３６で検出される。入力端子１３２及び１３３からの再生色差信号ＣＲ  、ＣＢ  は、変調回路１４０に供給される。変調回路１４０で、色差信号ＣＲ  、ＣＢ  からクロマ信号Ｃが形成される。この変調回路１４０の出力がスイッチ回路１４１に供給される。
【０１０４】
同期分離回路１３６の出力がラインデコーダ１３７に供給される。ラインデコーダ１３７で、ライン数がデコードされる。ラインデコーダ１３７の出力がスイッチ制御回路１３８に供給されると共に、ＷＳＳ信号発生回路１３９に供給される。スイッチ制御回路１３８は、主画面部と無画面部とを切り換えるスイッチ制御信号を形成する。このスイッチ制御信号がスイッチ回路１３５及び１４１に供給される。このスイッチ制御信号により、スイッチ回路１３５及び１４１が主画面と無画面とで切り換えられる。すなわち、画面の中央の主画面部では、スイッチ回路１３５が端子１３５Ａ側に設定されると共に、スイッチ回路１４１がオンされる。上下の無画面部では、スイッチ回路１３５が端子１３５Ｂ側に設定されると共に、スイッチ回路１４１がオフされる。
【０１０５】
主画面の部分では、スイッチ回路１３５が端子１３５Ａ側に設定され、入力端子１３１からの信号がスイッチ回路１３５を介して加算回路１４２に供給される。また、主画面の部分では、スイッチ回路１４１がオンしている。このため、加算回路１４２には、変調回路１４０からクロマ信号Ｃが供給される。加算回路１４２で、輝度信号とクロマ信号とが合成される。加算回路１４２の出力が加算回路１４３に供給される。
【０１０６】
無画面部では、入力端子１３１にヘルパー信号が供給される。このヘルパー信号は、スイッチ回路１３５を介して、オフセット除去回路１４４に供給される。オフセット除去回路１４４で、オフセットが取り除かれる。オフセット除去回路１４４の出力が変調回路１４５に供給される。変調回路１４５で、ヘルパー信号が変調される。変調回路１４５の出力が加算回路１４３に供給される。
【０１０７】
データ入力端子１３４からのデータは、ＷＳＳ信号発生回路１３９に供給される。ＷＳＳ信号発生回路１３９には、ラインデコーダ１３７の出力が供給される。ＷＳＳ信号発生回路１３９は、ライン２３でＷＳＳ信号を発生する。この信号が加算回路１４６に供給される。
【０１０８】
加算回路１４６により、ライン２３にＷＳＳ信号が付加される。ライン２３に信号を付加する際、ライン２３の再生信号はペデスタルレベルであったので、誤り無くデータを付加できる。加算回路１４６の出力が出力端子１４７から取り出される。このようにして出力される信号は、ＰＡＬｐｌｕｓ方式の信号であるから、ＰＡＬｐｌｕｓ対応のテレビジョン受像機１０７に供給すれば、ワイド画面で高品質の再生画面を楽しむことができる。
【０１０９】
【発明の効果】
この発明によれば、ＥＤＴＶ−２のビデオ信号では、ライン２２、２８５に、アスペクト比情報、識別信号、確認信号が送られてくる。このライン２２、ライン２８５のうち、ライン２８５は、有効ラインにある。ビデオ信号を圧縮記録する際に、このライン２８５の信号が例えばペデスタルレベルに固定される。また、ＰＡＬｐｌｕｓのビデオ信号では、ライン２３に、ＷＳＳ信号が送られてくる。このライン２３有効ラインにある。ビデオ信号を圧縮記録する際に、このライン２３の信号が例えばペデスタルレベルに固定される。このように、ＥＤＴＶ−２やＰＡＬｐｌｕｓで、アスペクト比等を示す情報が送られるラインが有効画面内にある場合に、このラインの信号が例えばペデスタルレベルに固定される。これにより、画質の劣化が防げる。
【図面の簡単な説明】
【図１】ＥＤＴＶ−２の信号を記録する場合の説明に用いるブロック図である。
【図２】ＥＤＴＶ−２の信号を再生する場合の説明に用いるブロック図である。
【図３】ＥＤＴＶ−２記録処理回路の一例のブロック図である。
【図４】この発明が適用されたディジタルＶＴＲの記録系のブロック図である。
【図５】この発明が適用されたディジタルＶＴＲにおけるトラック構成の説明に用いる略線図である。
【図６】この発明が適用されたディジタルＶＴＲにおけるオーディオデータの説明に用いる略線図である。
【図７】この発明が適用されたディジタルＶＴＲにおけるオーディオデータの説明に用いる略線図である。
【図８】この発明が適用されたディジタルＶＴＲにおけるビデオデータの説明に用いる略線図である。
【図９】この発明が適用されたディジタルＶＴＲにおけるビデオデータの説明に用いる略線図である。
【図１０】この発明が適用されたディジタルＶＴＲにおけるサブコードデータの説明に用いる略線図である。
【図１１】パック構造の説明に用いる略線図である。
【図１２】パックの説明に用いる略線図である。
【図１３】パックの説明に用いる略線図である。
【図１４】パックの説明に用いる略線図である。
【図１５】この発明が適用されたディジタルＶＴＲの再生系のブロック図である。
【図１６】ＥＤＴＶ−２再生処理回路の一例のブロック図である。
【図１７】ＰＡＬｐｌｕｓの信号を記録する場合の説明に用いるブロック図である。
【図１８】ＰＡＬｐｌｕｓの信号を再生する場合の説明に用いるブロック図である。
【図１９】ＰＡＬｐｌｕｓ記録処理回路の一例のブロック図である。
【図２０】ＰＡＬｐｌｕｓ再生処理回路の一例のブロック図である。
【図２１】レターボックス形式の説明に用いる略線図である。
【図２２】ＥＤＴＶ−２信号の説明に用いる略線図である。
【図２３】ＥＤＴＶ−２信号の説明に用いる略線図である。
【図２４】ＰＡＬｐｌｕｓ信号の説明に用いる略線図である。
【図２５】ＰＡＬｐｌｕｓ信号の説明に用いる略線図である。
【図２６】５２５／６０方式での有効ラインの説明に用いる略線図である。
【図２７】６２５／５０方式での有効ラインの説明に用いる略線図である。
【符号の説明】
２  ＥＤＴＶ−２記録処理回路
３、５  ディジタルＶＴＲ
６  ＥＤＴＶ−２再生処理回路
３８  マスキング回路
【図１】
0003598554.tif 000002
【図２】
0003598554.tif 000003
【図３】
0003598554.tif 000004
【図４】
0003598554.tif 000005
【図５】
0003598554.tif 000006
【図６】
0003598554.tif 000007
【図７】
0003598554.tif 000008
【図８】
0003598554.tif 000009
【図９】
0003598554.tif 000010
【図１０】
0003598554.tif 000011
【図１１】
0003598554.tif 000012
【図１２】
0003598554.tif 000013
【図１３】
0003598554.tif 000014
【図１４】
0003598554.tif 000015
【図１５】
0003598554.tif 000016
【図１６】
0003598554.tif 000017
【図１７】
0003598554.tif 000018
【図１８】
0003598554.tif 000019
【図１９】
0003598554.tif 000020
【図２０】
0003598554.tif 000021
【図２１】
0003598554.tif 000022
【図２３】
0003598554.tif 000023
【図２５】
0003598554.tif 000024
【図２２】
0003598554.tif 000025
【図２４】
0003598554.tif 000026
【図２６】
0003598554.tif 000027
【図２７】
0003598554.tif 000028